(57)【要約】【課題】天井等の小さな開口に取り付けできる照明装置を提供する。【解決手段】照明装置は、設置部材の開口に取付けられる光源装置と、設置部材の裏側に配され且つ光源装置に点灯電力を供給する点灯装置５とを別体で備える照明装置であり、点灯装置５は、第１装置部６と第２装置部７とを屈曲可能に備える。【選択図】図４
2019021551.tif 000002
【特許請求の範囲】
【請求項１】
設置部材の開口に取付けられる光源装置と、前記設置部材の裏側に配され且つ前記光源装置に点灯電力を供給する点灯装置とを別体で備える照明装置において、
前記点灯装置は、第１装置部と第２装置部とを屈曲可能に備える
照明装置。
【請求項２】
前記第２装置部は商用電源に接続されたケーブルと電気的に接続される接続部を含み、
前記第１装着部は前記接続部で受電した電力から前記点灯電力を生成する点灯回路部を含む
請求項１に記載の照明装置。
【請求項３】
前記第１装着部に含まれる第１ベース板と前記第２装着部に含まれる第２ベース板とが、互いの外形の一辺が対向可能に屈曲可能に連結されている
請求項２に記載の照明装置。
【請求項４】
前記第１装着部と前記第２装着部とが、前記第１装着部に供給する屈曲可能な電気ケーブルにより電気的に連結されている
請求項２に記載の照明装置。
【発明の詳細な説明】
【技術分野】
【０００１】
本発明は、光源装置と点灯装置とを備える照明装置に関する。
【背景技術】
【０００２】
省エネルギーの観点から従来の電球や蛍光灯がＬＥＤ素子を利用した光源装置に置き代えられている。このような例として、天井等の開口を利用して設けられる埋め込みタイプの照明装置がある（例えば、特許文献１）。
この照明装置は、光源を有する光源装置と、光源に点灯電力を供給する点灯装置とが、一体になったものや別体になったものがある。
【先行技術文献】
【特許文献】
【０００３】
【特許文献１】特開２０１６−９１７３８号公報
【発明の概要】
【発明が解決しようとする課題】
【０００４】
近年、従来の明るさを維持しつつ小型化された照明装置の要望がある。つまり、天井等の小さな開口に取り付け可能な照明装置の要望がある。
しかしながら、光源装置と点灯装置とが一体化したものでは照明装置が大きくなり、天井の小さな開口を通すことが難しい。なお、照明装置全体を長細く設計することは可能であるが、近年天井裏の奥行きが狭く、照明装置全体を天井裏に配することができない場合がある。
また、光源装置と点灯装置とが別体のものでは、光源装置が小型化できるが、天井裏の奥行きが狭く点灯装置の全長が長い場合は天井裏に配することができない。
本発明は、天井等の小さな開口に取り付けできる照明装置を提供することを目的とする。
【課題を解決するための手段】
【０００５】
本発明に係る照明装置は、設置部材の開口に取付けられる光源装置と、前記設置部材の裏側に配され且つ前記光源装置に点灯電力を供給する点灯装置とを別体で備える照明装置において、前記点灯装置は、第１装置部と第２装置部とを屈曲可能に備える。
【発明の効果】
【０００６】
上記構成によれば、屈曲させることで点灯装置の寸法が小さくなり、小さな開口を通して点灯装置を配することができたり、奥行の狭い天井裏にも点灯装置を配したりできる。
【図面の簡単な説明】
【０００７】
【図１】実施形態の照明装置を示す斜視図である。
【図２】分解した点灯装置を裏側から見た斜視図である。
【図３】分解した点灯装置を表側から見た斜視図である。
【図４】折曲状態の点灯装置を示す斜視図である。
【図５】点灯装置の変形例を示す斜視図である。
【発明を実施するための形態】
【０００８】
＜概要＞
実施形態の一態様に係る照明装置は、設置部材の開口に取付けられる光源装置と、前記設置部材の裏側に配され且つ前記光源装置に点灯電力を供給する点灯装置とを別体で備える照明装置において、前記点灯装置は、第１装置部と第２装置部とを屈曲可能に備える。
実施形態の別態様に係る照明装置において、前記第２装置部は商用電源に接続されたケーブルと電気的に接続される接続部を含み、前記第１装置部は前記接続部で受電した電力から前記点灯電力を生成する点灯回路部を含む。
実施形態の別態様に係る照明装置において、前記第１装置部に含まれる第１ベース板と前記第２装置部に含まれる第２ベース板とが、互いの外形の一辺が対向可能に屈曲可能に連結されている。これにより屈曲可能な構造を容易に実施できる。
実施形態の別態様に係る照明装置において、前記第１装置部と前記第２装置部とが、前記第１装置部に供給する屈曲可能な電気ケーブルにより電気的に連結されている。これにより屈曲可能な構造を容易に実施できる。
【０００９】
＜実施形態＞
１．概要
実施形態に係る照明装置１は、天井の開口を利用して取り付けられる埋め込みタイプの、所謂ダウンライトであり、光源装置３と点灯装置５とを別体で備える。なお、光源装置３と点灯装置５とは電気ケーブル９で接続されている。
以下、各装置について説明する。
【００１０】
２．光源装置
図１を用いて説明する。
光源装置３は、天井の開口に取り付けられ、床面側を照射する。光源であるＬＥＤ素子（図示省略）は点灯装置５から供給される点灯電力により発光する。
光源装置３は、１個又は複数個のＬＥＤ素子からなる発光部（図示省略）、ＬＥＤ素子を実装して点灯電力を供給するための供給路を有する実装部と、実装部を搭載して発光中のＬＥＤ素子からの熱を放出するヒートシンク３１と、ＬＥＤ素子から発せられた光に対して光学処理を行う光学処理部（図示省略）と、光源装置３を天井の開口に取り付けるためのフレーム部３３と、光源装置３を天井の開口に固定するための固定具３５を有する。
【００１１】
実装部はここではガラスエポキシ等の基板が利用され、基板の表面にＬＥＤ素子が実装され、基板の裏面がヒートシンク３１に当接する。ヒートシンク３１は、表面に基板が搭載される板状部３１１の裏面から複数個のフィン部３１３が延伸してなる。
光学処理部は、ＬＥＤ素子から発せられた光を床面（被照射面）に集光させると共にグレア防止用に拡散させている。光学処理部はヒートシンク３１の板状部３１１に取り付けられている。
【００１２】
フレーム部３３は、筒状部３３１の表側端に外鍔部３３２を備え、裏側端部がヒートシンク３１の板状部３１１に取り付けられる。筒状部３３１が天井の開口に嵌合し、外鍔部３３２で開口を隠すように構成されている。なお、フレーム部３３は、１個又は複数個の部材から構成されている。筒状部３３１の外周には固定具３５をねじ体３３５等で取り付けるために取付部３３３が設けられている。
固定具３５は、天井等の開口へ挿入する際に弾性変形可能な「レ」字状をし、その復元力を利用して開口の周面を押圧する。
【００１３】
３．点灯装置
図１から図３を用いて説明する。
点灯装置５は、図１及図４に示すように、第１装置部と第２装置部とを屈曲可能に有している。ここでいう「屈曲」とは、第１装置部と第２装置部とが並ぶ方向と直交する軸（仮想軸を含む）で屈曲することをいい、換言すると、点灯装置５の所定方向の寸法が小さくなるようにすることをいう。
ここで、第２装置部は商用電源側の電気ケーブルに接続するための接続部７を含み、第１装置部は接続部７を介して受電した電力から点灯電力を生成して光源装置３に供給する点灯回路部６を含む。
ここでは、点灯回路部６及び接続部７の少なくとも一方は長尺状をしており、接続部７は点灯回路部６に対して長手方向の全長が短くなるように屈曲可能に設けられている。なお、「接続部７が点灯回路部６に対して屈曲可能に設けられている」は、「点灯回路部６が接続部７に対して屈曲可能に設けられている」と同じ意味である。
点灯装置５は、ベース５０、回路セット（図２及び図３参照）５２、回路カバー５４、端子台５５，５６、端子取付板５７を備える。
以下、図２及び図３を用いて各部について説明する。
【００１４】
（１）ベース
ベース５０は、第１ベース板５０１と第２ベース板５０３とを有し、第１ベース板５０１が第２ベース板５０３に対して屈曲可能に設けられている。
第１ベース板５０１及び第２ベース板５０３は、表裏方向から見たときに、矩形状に似た形状をしている。ベース５０の長手方向は、点灯装置５の長手方向と一致し、その長手方向において、第１ベース板５０１が存在する側を一端とし、第２ベース板５０３が存在する側を他端とする。
【００１５】
（１−１）第１ベース板
第１ベース板５０１は、横断面形状が「コ」字状をし、矩形状の第１平板部５０１ａと、第１平板部５０１ａの短手方向の両端から立設する第１側板部５０１ｂとを有する。第１平板部５０１ａの長手方向の他端部は欠けており、長手方向において、第１平板部５０１ａの他端は第１側板部５０１ｂの他端よりも一端側にある。この欠けた部分５０１ｄにより、第２ベース板５０３は屈曲しても第１平板部５０１ａと干渉しなくなる。
【００１６】
第１ベース板５０１は、回路カバー５４を装着するためのベース側カバー装着部を有している。ここでは、装着に係合構造が利用され、ベース側カバー装着部は第１側板部５０１ｂに設けられた貫通孔５０１ｅにより構成される。なお、貫通孔５０１ｅは各第１側板部５０１ｂの長手方向に間隔をおいて複数個、例えば２個設けられている。
【００１７】
第１ベース板５０１は、回路カバー５４を固定するためのベース側カバー固定部を有している。ここでは、固定にねじ体５９１（螺合構造）が利用され、ベース側カバー固定部は第１側板部５０１ｂに設けられたねじ孔５０１ｆにより構成される。なお、ねじ孔５０１ｆは各第１側板部５０１ｂの２個の貫通孔５０１ｅの間、例えば中間に設けられている。第１ベース板５０１は金属板が利用され、ねじ孔５０１ｆはバーリング加工されている。
【００１８】
第１ベース板５０１は平板部に５０１ａに回路セット５２を支持し且つ固定する支持固定部を有している。ここは、固定にねじ体５９３（螺合構造）が利用され、支持固定部はねじ孔５０１ｇを第１平板部５０１ａに有している。
ねじ孔５０１ｇは裏側へと凹入する凹入部分５０１ｈの底に設けられている。これにより、点灯基板５２１が第１平板部５０１ａと直接接触するのを防止できる。
【００１９】
第１ベース板５０１は、第１平板部５０１ａの長手方向の一端部から表側外方にＬ字状に延伸する第１Ｌ字部５０１ｊと、第１Ｌ字部５０１ｊにおける外方へ延伸する部分に形成された貫通孔５０１ｋとを有している。これにより、点灯装置は、木ねじ等を利用して、天井等に固定することもできる。
【００２０】
（１−２）第２ベース板
第２ベース板５０３は、横断面形状が「コ」字状をし、矩形状の第２平板部５０３ａと、第２平板部５０３ａの短手方向の両端から立設する第２側板部５０３ｂとを有する。第２平板部５０３ａの長手方向の一端部は「コ」字状に欠けており、長手方向において、第２平板部５０３ａの一端は第２側板部５０３ｂの一端よりも他端側にある。この欠けた部分５０３ｄに残存する延伸部５０３ｅ（図３参照）は端子取付板５７の一部（安定部５７４）を支持する。
【００２１】
第２ベース板５０３の短手方向の幅は、第１ベース板５０１の短手方向の両端に立設する第１側板部５０１ｂ，５０１ｂの間隔幅より小さくなるように構成されている。つまり、一対の第２側板部５０３ｂの外面が第１ベース板５０１の一対の第１側板部５０１ｂの内面に当接又は近接するように、ベース５０が構成されている。
ベース５０を側面視すると、第２側板部５０３ｂの一端側の端部は、第１側板部５０１ｂの他端側の端部と重なるように構成されている。
【００２２】
第２側板部５０３ｂの一端側の端部は、第１ベース板５０１に結合された状態において、図２に示すように、第１平板部５０１ａの他端より一端側方向に延伸している。これにより、第１ベース板５０１の第２ベース板５０３に対する屈曲方向を規制する規制部として機能する。つまり、第２ベース板５０３は、第１ベース板５０１に対して、第１平板部５０１ａの外面と第２平板部５０３ａの外面とが近づく方向（図４参照）に屈曲するが、水平位置から第１平板部５０１ａの外面と第２平板部５０３ａの外面とが遠のく方向（図４の屈曲状態と反対方向）には屈曲しない。
【００２３】
第２ベース板５０３は、端子台５５，５６が取付けられた端子取付板５７を装着するためのベース側端子装着部を有している。ここでは、装着にねじ体５９４（螺合構造）が利用され、ベース側端子装着部は第２平板部５０３ａに設けられた貫通孔５０３ｆにより構成される。
【００２４】
第２ベース板５０３は、第２平板部５０３ａの長手方向の他端部から表側外方にＬ字状に延伸する第２Ｌ字部５０３ｇと、第２Ｌ字部５０３ｇにおける外方へ延伸する部分に形成された貫通孔５０３ｈとを有している。これにより、点灯装置は、木ねじ等を利用して、天井等に固定することもできる。
【００２５】
（１−３）結合
第１ベース板５０１と第２ベース板５０３とは連結具により屈曲可能に連結されている。連結具として、ピン、リベット等を利用でき、ここでは、ブラインドリベット５０５を利用している。
つまり、第１ベース板５０１の一対の第１側板部５０１ｂにおける他端部と、第２ベース板５０３の一対の第２側板部５０３ｂにおける一端部とがブラインドリベット５０５により連結されている。さらに換言すると、第１ベース板５０１の第１平板部５０１ａと第２ベース板５０３の第２平板部５０３ａとが、互いの外形（外面）の一辺が対向可能に屈曲可能に連結されている。
【００２６】
ブラインドリベット５０５は、第１平板部５０１ａ及び第２平板部５０３ａの主面と平行であって第１平板部５０１ａ及び第２平板部５０３ａの長手方向と直交する方向に延伸している。なお、第１側板部５０１ｂ及び第２側板部５０３ｂにはブラインドリベット５０５用の貫通孔が設けられている。
ここでの連結（結合）には、ブラインドリベット５０５のフランジと第１ベース板５０１の第１側板部５０１ｂとの間にはワッシャが配されている。ここでのワッシャは、厚み方向に弾性変形可能な波ワッシャが利用されている。
【００２７】
（２）回路セット
回路セット５２は、点灯基板５２１に複数個の電子部品（図示省略）を実装してなる点灯回路部５２３を備える。ここでの回路セット５２は点灯回路部５２３を覆う樹脂ケース５２５も備える。
【００２８】
点灯回路部５２３は、端子台５５又は端子台５６を介して受電した電力から、光源装置３のＬＥＤ素子用の点灯電力を生成する。点灯回路部５２３は、例えば、整流回路、平滑回路、電力変換回路（例えば昇降圧回路）等を備える。
点灯基板５２１は、回路セット５２を第１ベース板５０１に固定するため基板側固定部を有している。ここでの固定にはねじ体５９３（螺合構造）を利用し、点灯基板５２１は貫通孔（図示省略）を有している。なお、ねじ体５９３は、点灯基板５２１の貫通孔を挿通し、第１ベース板５０１の凹入部分５０１ｈのねじ孔５０１ｇに螺合する。
【００２９】
点灯回路部５２３は絶縁シートからなる樹脂ケース５２５により覆われている。樹脂ケース５２５は、点灯基板５２１と第１ベース板５０１との間に配されるケース底板部５２５ａ、後述の回路カバー５４の一対の長側板部５４２の内側に配されるケース側板部５２５ｂ、回路カバー５４の天板部５４１の内側に配されるケース天板部５２５ｃとを有する筒状をしている。つまり、樹脂ケース５２５の横断面形状は、方形状、矩形状等の四角形状及び四角形状に似た形状をしている。
なお、ここでの樹脂ケース５２５は１枚の樹脂シートを折り曲げて構成されている。このため、樹脂シートだけでは拡がってしまうが、その拡がりは回路カバー５４の内面に当接することで規制される。
【００３０】
（３）回路カバー
回路カバー５４は、回路セット５２を覆う状態で、第１ベース板５０１に取り付けられている。回路カバー５４は、矩形状の第１平板部５０１ａの長手方向に長い箱状（直方体状）であって第１ベース板５０１側が開口する形状をしている。回路カバー５４は、第１平板部５０１ａの長手方向に長い矩形状のカバー天板部５４１と、カバー天板部５４１の長手方向に沿う端縁から第１ベース板５０１側に延伸するカバー長側板部５４２と、カバー天板部５４１の短手方向に沿う端縁から第１ベース板５０１側に延伸するカバー短側板部５４３，５４４と有している。
【００３１】
回路カバー５４は、第１ベース板５０１に装着するためのカバー側装着部を有している。ここでは、装着に係合構造が利用され、カバー側装着部はカバー長側板部５４２に設けられた内側に凹入する凹入部分５４２ａにより構成される。凹入部分５４２ａは各長側板部５４２の長手方向に間隔をおいて複数個、例えば２個設けられ、第１ベース板５０１の第１側板部５０１ｂの貫通孔５０１ｅに係合する。
【００３２】
回路カバー５４は、第１ベース板５０１に固定するためのカバー側固定部を有している。ここでは、固定にねじ体５９１（螺合構造）が利用され、カバー側固定部はカバー長側板部５４２に設けられた貫通孔５４２ｂにより構成される。ねじ体５９１は、カバー長側板部５４２の貫通孔５４２ｂを挿通して、第１ベース板５０１の第１側板部５０１ｂのねじ孔５０１ｆに螺合する。
【００３３】
回路カバー５４は、長手方向の一端側に位置するカバー短側板部５４３に光源装置３と点灯回路部５２３とを電気的に接続する電気ケーブル９（図１参照）用の貫通孔５４３ａを有する。
【００３４】
回路カバー５４は、長手方向の一端側に位置するカバー短側板部５４３におけるカバー天板部５４１と反対側（表側）の端縁から表側外方にＬ字状に延伸するカバーＬ字部５４６と、カバーＬ字部５４６における外方へ延伸する部分に形成された貫通孔５４６ａとを有する。これにより、他の照明装置の点灯装置として利用され、天井等に固定される回路ユニットとして利用でき、点灯装置を天井裏等に固定する場合に、図示しないねじ体が回路カバー５４の貫通孔５４６ａと第１ベース板５０１の貫通孔５０１ｋを挿通する。
【００３５】
回路カバー５４は、図３に示すように、長手方向の他端側に位置するカバー短側板部５４４と、一対のカバー長側板部５４２との突き合わせ部分であってカバー天板部５４１と反対側（表側）に位置する角部分に欠け部５４７を有している。欠け部５４７には端子台５５及び端子台５６と点灯回路部５２３とを電気的に接続する電気ケーブル（図示省略）が配される。
【００３６】
（４）端子台
端子台５５，５６は、商用電源側のケーブル（図示省略）と接続するためのものであり、ケーブルの芯線を引き込むための引き込み部と、引き込まれた芯線により弾性変形して芯線を押圧する金属ばね片とを有する。なお、金属ばね片は点灯回路部５２３と接続するケーブル（図示省略）と接続されている。
【００３７】
（５）端子取付板
端子取付板５７は、端子台５５，５６を取り付ける端子取付部５７１，５７２と、第２ベース板５０３に装着するための端子装着部５７３とを有している。端子取付板５７は、端子取付板５７を安定した姿勢で第２ベース板５０３に装着するための安定部５７４を一体で有している。
【００３８】
端子取付部５７１，５７２は、端子台５５，５６へのケーブルの挿入方向が第２ベース板５０３の長手方向の他端側から一端側に向かうように、端子台５５，５６を取り付ける。端子取付部５７１，５７２は第２ベース板５０３に対して傾斜する傾斜板部５７１ａ，５７２ａを有する。ここでは、端子取付部５７１，５７２は、芯線を挿入するにしたがって第２平板部５０３ａに近づくように、傾斜する。
端子取付部５７１，５７２は、端子台５５，５６を取り付ける傾斜板部５７１ａ，５７２ａと、傾斜板部５７１ａ，５７２ａにおける他端側に設けられた立設板部５７１ｂ，５７２ｂとを有する。
端子取付部５７１には２芯用の端子台５５が取り付けられ、端子取付部５７２には３芯用の端子台５６が取付けられる。なお、端子取付部５７１は端子取付部５７２よりも回路カバー５４に近い位置にある。
端子取付部５７１，５７２は端子台５５，５６を固定するための固定部分を傾斜板部５７１ａ，５７２ａに有している。ここでの固定にはねじ体５９７（螺合構造）が利用され、ねじ体５９７用のねじ孔５７１ｃ，５７２ｃにより固定部分が構成される。
端子取付部５７２は端子台５６の位置決め凸部５６ａが嵌る貫通孔５７２ｄを傾斜板部５７２ａに有する。端子取付部５７２は端子台５６のアース部５６ｂが嵌る貫通孔５７２ｅを傾斜板部５７２ａに有する。
【００３９】
端子装着部５７３は第２平板部５０３ａと平行な平行平板部により構成される。平行平板部は、端子取付部５７１と端子取付部５７２の間に位置する中間板部５７３ａと、端子取付部５７２の他端部側に位置する他端板部５７３ｂとの２つある。
中間板部５７３ａと他端板部５７３ｂは、第２ベース板５０３への固定用の固定部分を有する。ここでの固定にはねじ体５９３（螺合構造）が利用され、固定部分は、中間板部５７３ａのねじ孔５７３ｃと他端板部５７３ｂのねじ孔５７３ｄにより構成される。ねじ体５９３は、第２ベース板５０３の貫通孔５０３ｆを挿通し、中間板部５７３ａのねじ孔５７３ｃ及び他端板部５７３ｂのねじ孔５７３ｄに螺合する。
他端板部５７３ｂは端子取付部５７２の立設板部５７２ｂから一端側に屈曲するように設けられている。中間板部５７３ａは、端子取付部５７１の立設板部５７１ｂと端子取付部５７２の傾斜板部５７２ａとを連結する。
【００４０】
安定部５７４は、平板状をし、第２平板部５０３ａと当接する。安定部５７４は端子取付部５７１の一端部から長手方向外方へと張り出すように延伸する。
【００４１】
（６）点灯回路部と接続部
点灯回路部６は、ここでは、第１ベース板５０１、回路セット５２及び回路カバー５４から構成される。接続部７は、第２ベース板５０３、端子台５５，５６及び端子取付板５７から構成される。
【００４２】
４．点灯装置の設置
点灯装置５は、第１ベース板５０１と第２ベース板５０３とをブラインドリベット５０５により屈曲可能に連結された構成を有している。このため、天井裏の奥行きが狭い（短い）場合であっても、図４に示すように、第１ベース板５０１に対して第２ベース板５０３を屈曲させて長手方向の全長を短くすることで、天井裏に点灯装置５を設置できる。
つまり、点灯装置５の設置は、商用電源側のケーブルと端子台５５又は端子台５６とが電気的に接続された第２ベース板５０３を第１ベース板５０１に対して屈曲させた状態で行う。屈曲状態の点灯装置５は、屈曲していない状態よりも長手方向の全長が短くなり、天井裏の奥行きが屈曲していない状態の点灯装置の全長より短くても、小さな開口を通過させて点灯装置５を天井裏まで挿入できる。なお、挿入後は、点灯装置５を安定した状態で配置するため、屈曲していない状態に戻される。
【００４３】
以上、実施形態を説明したが、この実施形態に限られるものではなく、例えば、以下のような変形例であってもよい。また、実施形態と変形例、変形例同士を組み合わせたものであってもよい。また、実施形態や変形例に記載していていない例や、要旨を逸脱しない範囲の設計変更があっても本発明に含まれる。
【００４４】
＜変形例＞
【００４５】
１．屈曲可能
実施形態では、点灯回路部６の第１ベース板５０１と接続部７の第２ベース板５０３とが屈曲可能に連結されていたが、例えば、第１ベース板５０１に取り付けられた回路カバー５４に第２ベース板５０３を屈曲可能に連結する構造でもよい。
実施形態では、第１ベース板５０１と第２ベース板５０３とをブラインドリベット（ヒンジ構造）５０５で結合しているが、例えば、フレキシブルチューブや可撓性を有する板材等の他の手段で結合してもよく、さらには、例えば、図５に示すように、点灯装置５Ａは点灯回路部６Ａと接続部７Ａとを屈曲可能な電気ケーブル９Ａにより連結（接続）する構成としてもよい。これにより、点灯装置５Ａの剛体部分の全長が可変となり、例えば、点灯装置５Ａを天井裏のスペースが小さい場合でも、先に接続部７Ａを開口から挿入することで、点灯装置５Ａを天井裏に配置できる。
実施形態及び当該変形例では、点灯装置５，５Ａの長手方向と直交する仮想軸廻りに、第１装置部（６，６Ａ）と第２装置部（７，７Ａ）とを屈曲可能としているが、例えば、第２装置部を第１装置部の短手方向に並べ且つ当該短手方向と直交する仮想軸廻りに第１装置部と第２装置部とを屈曲可能としてもよい。これにより、屈曲しない状態でその通過が許容されない小さな開口に対しても屈曲によりその通過が許容される場合もある。
【００４６】
２．装置部
実施形態では、第１装置部は点灯回路部６であり、第２装置部が接続部７であったが、各装置部は、これに限定するものではない。
例えば、第２装置部は、商用電源側との接続部と、受電した交流電力を直流電力に変換するＡＣ変換部とを含み、第１装置部は第２装置部で変換された直流電力を点灯用の所定の直流電力に変換するＤＤ変換部を含む構成としてもよい。
【００４７】
さらに、例えば、点灯装置は、商用電源側との接続部を含む第３装置部と、第３装置部で受電した交流電力から直流電力に変換するＡＣ変換部を含む第２装置部と、第２装置部で変換された直流電力を点灯電力に変換するＤＤ変換部を含む第１装置部とを備えてもよい。
この場合、第２装置部に対して、第１装置部だけが屈曲可能であってもよいし、第３装置部だけが屈曲可能であってもよいし、第１装置部と第３装置部とが屈曲可能であってもよい。
【００４８】
実施形態の点灯装置５は、商用電源側と接続する接続部と点灯電力を生成する点灯回路部とを有しているが、他の機能を発揮する機能部を有してもよい。
点灯に関しては、光源装置の点灯・消灯を制御するための制御部、調光するための調光部、調色するための調色部等がある。
通信に関しては、例えば、複数台の光源装置の点灯・消灯用の情報を受信する受信部、自装置の情報を送信する送信部、情報を受信したり送信したりする通信部等がある。
センサーに関しては、温度、振動、煤煙等を検知するセンサー部等がある。例えば、点灯回路の過度な温度上昇、地震等の振動、火災等の煤煙等を検知し、光源装置への点灯電力の供給を停止するような制御部を含んでもよい。
点灯装置は、上記機能部を、第１装置部、第２装置部、さらには、第１装置部及び第２装置部以外の装置部に備えていればよい。さらに、上記機能を構成する構成部品に電力を供給するためのバッテリを第１装置部、第２装置部、さらには、第１装置部及び第２装置部以外の装着部として備えてもよい。
【００４９】
３．点灯回路部
実施形態の点灯回路部６は、絶縁性確保のため、樹脂ケース５２５を備えている。しかしながら、例えば、ベース５０と回路カバー５４とを絶縁性の樹脂で構成して、樹脂ケースを備えない構成としてもよい。
４．接続部
実施形態の接続部７は、２芯用の端子台５５と３芯用の端子台５６とを備えていたが、芯線の本数が予め定まっている場合は、その芯線に対応する端子台だけを備えてもよい。また、実施形態の接続部７は、端子台５５，５６が露出しているが、端子台カバーを備えてもよい。
また、接続部は商用電源側と電気的に接続できればよい。例えば、商用電源側のケーブルにコネクタを取り付け、このコネクタ用の受けコネクタを基板に備える接続部であってもよいし、基板にケーブルを直接接続し、このケーブルと商用電源側のケーブルと接続するような接続部であってもよい。
【００５０】
５．ベース
実施形態の一対の第２側板部５０３ｂは第１ベース板５０１の一対の第１側板部５０１ｂの内側に配されている。しかしながら、例えば、第２側板部が第１側板部の外側に配されてもよいし、一方の第２側板部が第１側板部の外側であって他方の第２側板部が第１側板部の内側に配されてもよい。
実施形態では、一対の第２側板部５０３ｂの一端が第１平板部５０１ａの他端よりも第１平板部５０１ａの内側に位置するように、ベース５０が構成されている。しかしながら、第１ベース第５０１と第２ベース板５０３との屈曲方向を規制する観点からは、例えば、第２平板部の他端部と第１平板部の一端部とが重なるように構成してもよい。
【００５１】
６．光源装置
光源装置は、天井等の開口を利用して取り付けられ、別体の点灯装置から電力供給を受ける装置であればよく、その構成・形状等は特に限定するものではない。
【符号の説明】
【００５２】
１    照明装置
３    光源装置
５    点灯装置
６    点灯回路部（第１装置部）
７    接続部（第２装置部）
９    電気ケーブル
【図１】
2019021551.tif 000003
【図２】
2019021551.tif 000004
【図３】
2019021551.tif 000005
【図４】
2019021551.tif 000006
【図５】
2019021551.tif 000007